(57)【要約】【課題】車両に搭載される直流電源のグランドラインと車両のボディアースとの間の絶縁抵抗の抵抗値の低下を検知する漏電検知回路の故障を漏電検知回路自身で検知する。【解決手段】発振回路２から第１の故障検知用発振信号Ｓ１が出力されているときに検出抵抗Ｒｄにかかる電圧Ｖｄの波高値ＶｐｐＬと、発振回路２から第２の故障検知用発振信号Ｓ２が出力されているときに検出抵抗Ｒｄにかかる電圧Ｖｄの波高値ＶｐｐＨとの第３の対応関係が、漏電検知回路１が故障していないときに算出される対応関係の変動傾向に含まれていない場合、漏電検知回路１が故障していることを検知する。【選択図】図１
2020094922.tif 000002
【特許請求の範囲】
【請求項１】
車両に搭載される直流電源のグランドラインと前記車両のボディアースとの間の絶縁抵抗の抵抗値の低下を検知する漏電検知回路であって、
漏電検知用発振信号、第１の故障検知用発振信号、または、前記第１の故障検知用発振信号の周波数より高い周波数の第２の故障検知用発振信号を出力する発振回路と、
前記グランドラインに接続されるカップリングコンデンサと前記発振回路との間に接続される検出抵抗と、
前記発振回路から前記漏電検知用発振信号が出力されているときに前記検出抵抗にかかる電圧の波高値が閾値以下である場合、前記絶縁抵抗の抵抗値が低下していることを検知する検知部と、
当該漏電検知回路が故障していないときで、かつ、前記絶縁抵抗の抵抗値が第１の抵抗値であるときで、かつ、前記発振回路から前記第１の故障検知用発振信号が出力されているときに前記検出抵抗にかかる電圧の波高値と、当該漏電検知回路が故障していないときで、かつ、前記絶縁抵抗の抵抗値が前記第１の抵抗値であるときで、かつ、前記発振回路から前記第２の故障検知用発振信号が出力されているときに前記検出抵抗にかかる電圧の波高値との第１の対応関係から、当該漏電検知回路が故障していないときで、かつ、前記絶縁抵抗の抵抗値が前記第１の抵抗値より低い第２の抵抗値であるときで、かつ、前記発振回路から前記第１の故障検知用発振信号が出力されているときに前記検出抵抗にかかる電圧の波高値と、当該漏電検知回路が故障していないときで、かつ、前記絶縁抵抗の抵抗値が前記第２の抵抗値であるときで、かつ、前記発振回路から前記第２の故障検知用発振信号が出力されているときに前記検出抵抗にかかる電圧の波高値との第２の対応関係までの対応関係の変動傾向を記憶する記憶部と、
を備え、
前記検知部は、前記発振回路から前記第１の故障検知用発振信号が出力されているときに前記検出抵抗にかかる電圧の波高値と、前記発振回路から前記第２の故障検知用発振信号が出力されているときに前記検出抵抗にかかる電圧の波高値との第３の対応関係が前記第１の対応関係から前記第２の対応関係までの対応関係の変動傾向に含まれていない場合、当該漏電検知回路が故障していることを検知する
ことを特徴とする漏電検知回路。
【請求項２】
請求項１に記載の漏電検知回路であって、
前記第１の対応関係から前記第２の対応関係までの対応関係の変動傾向は、前記発振回路から前記第１の故障検知用発振信号が出力されているときに前記検出抵抗にかかる電圧の波高値を第１の軸とし、前記発振回路から前記第２の故障検知用発振信号が出力されているときに前記検出抵抗にかかる電圧の波高値を第２の軸とする２次元直交座標において、前記第１の対応関係に相当する点と、前記第２の対応関係に相当する点とを通る直線であり、
前記検知部は、前記第３の対応関係に相当する点が前記直線から一定値以上離れている場合、前記第３の対応関係が前記第１の対応関係から前記第２の対応関係までの対応関係の変動傾向に含まれていないと判断する
ことを特徴とする漏電検知回路。
【請求項３】
請求項２に記載の漏電検知回路であって、
模擬絶縁抵抗と、
前記カップリングコンデンサと前記模擬絶縁抵抗とが互いに接続されていない第１の状態、及び、前記カップリングコンデンサと前記模擬絶縁抵抗とが互いに接続されている第２の状態のどちらか一方の状態に切り替えるスイッチと、
を備え、
前記検知部は、前記２次元直交座標において、前記第１の状態になるように前記スイッチの動作を制御しているときで、かつ、前記発振回路から前記第１の故障検知用発振信号が出力されているときに前記検出抵抗にかかる電圧の波高値と、前記第１の状態になるように前記スイッチの動作を制御しているときで、かつ、前記発振回路から前記第２の故障検知用発振信号が出力されているときに前記検出抵抗にかかる電圧の波高値とが対応する点と、前記第２の状態になるように前記スイッチの動作を制御しているときで、かつ、前記発振回路から前記第１の故障検知用発振信号が出力されているときに前記検出抵抗にかかる電圧の波高値と、前記第２の状態になるように前記スイッチの動作を制御しているときで、かつ、前記発振回路から前記第２の故障検知用発振信号が出力されているときに前記検出抵抗にかかる電圧の波高値とが対応する点とにより前記直線を算出する
ことを特徴とする漏電検知回路。
【請求項４】
漏電検知用発振信号、第１の故障検知用発振信号、または、前記第１の故障検知用発振信号の周波数より高い周波数の第２の故障検知用発振信号を出力する発振回路と、
車両に搭載される直流電源のグランドラインに接続されるカップリングコンデンサと前記発振回路との間に接続される検出抵抗と、
前記発振回路から前記漏電検知用発振信号が出力されているときに前記検出抵抗にかかる電圧の波高値が閾値以下である場合、前記グランドラインと前記車両のボディアースとの間の絶縁抵抗の抵抗値が低下していることを検知する検知部と、
当該漏電検知回路が故障していないときで、かつ、前記絶縁抵抗の抵抗値が第１の抵抗値であるときで、かつ、前記発振回路から前記第１の故障検知用発振信号が出力されているときに前記検出抵抗にかかる電圧の波高値と、当該漏電検知回路が故障していないときで、かつ、前記絶縁抵抗の抵抗値が前記第１の抵抗値であるときで、かつ、前記発振回路から前記第２の故障検知用発振信号が出力されているときに前記検出抵抗にかかる電圧の波高値との第１の対応関係から、当該漏電検知回路が故障していないときで、かつ、前記絶縁抵抗の抵抗値が前記第１の抵抗値より低い第２の抵抗値であるときで、かつ、前記発振回路から前記第１の故障検知用発振信号が出力されているときに前記検出抵抗にかかる電圧の波高値と、当該漏電検知回路が故障していないときで、かつ、前記絶縁抵抗の抵抗値が前記第２の抵抗値であるときで、かつ、前記発振回路から前記第２の故障検知用発振信号が出力されているときに前記検出抵抗にかかる電圧の波高値との第２の対応関係までの対応関係の変動傾向を記憶する記憶部と、
を備える漏電検知回路における故障検知方法であって、
前記検知部は、前記発振回路から前記第１の故障検知用発振信号が出力されているときに前記検出抵抗にかかる電圧の波高値と、前記発振回路から前記第２の故障検知用発振信号が出力されているときに前記検出抵抗にかかる電圧の波高値との第３の対応関係が、前記第１の対応関係から前記第２の対応関係までの対応関係の変動傾向に含まれていない場合、前記漏電検知回路が故障していることを検知する
ことを特徴とする故障検知方法。
【発明の詳細な説明】
【技術分野】
【０００１】
本発明は、漏電検知回路に関する。
【背景技術】
【０００２】
漏電検知回路として、車両に搭載される直流電源のグランドラインにカップリングコンデンサを介して検出抵抗を接続するとともに、グランドラインと車両のボディアースとの間に発振信号を出力し、検出抵抗にかかる電圧の波高値が閾値以下であるとき、絶縁抵抗の抵抗値が低下していること、すなわち、漏電が発生していることを検知するものがある。
【０００３】
関連する技術として、例えば、特許文献１がある。
【先行技術文献】
【特許文献】
【０００４】
【特許文献１】特開２０１４−１５５３２９号公報
【発明の概要】
【発明が解決しようとする課題】
【０００５】
しかしながら、上記漏電検知回路は、検出抵抗のインピーダンスが下がるなど漏電検知回路が故障することで検出抵抗にかかる電圧の波高値が、漏電検知回路が故障していない場合に比べて高くなると、実際には漏電が発生しているにもかかわらず、漏電が発生していないと誤検知してしまうおそれがある。そのため、漏電検知回路の故障を検知して、ユーザに漏電検知回路の修理を促すことが必要である。
【０００６】
本発明の一側面に係る目的は、車両に搭載される直流電源と車両のボディアースとの間の絶縁抵抗の抵抗値の低下を検知する漏電検知回路の故障を漏電検知回路自身で検知することである。
【課題を解決するための手段】
【０００７】
本発明に係る一つの形態である漏電検知回路は、車両に搭載される直流電源のグランドラインと車両のボディアースとの間の絶縁抵抗の抵抗値の低下を検知する漏電検知回路であって、漏電検知用発振信号、第１の故障検知用発振信号、または、第１の故障検知用発振信号の周波数より高い周波数の第２の故障検知用発振信号を出力する発振回路と、グランドラインに接続されるカップリングコンデンサと発振回路との間に接続される検出抵抗と、発振回路から漏電検知用発振信号が出力されているときに検出抵抗にかかる電圧の波高値が閾値以下である場合、絶縁抵抗の抵抗値が低下していることを検知する検知部と、漏電検知回路が故障していないときで、かつ、絶縁抵抗の抵抗値が第１の抵抗値であるときで、かつ、発振回路から第１の故障検知用発振信号が出力されているときに検出抵抗にかかる電圧の波高値と、漏電検知回路が故障していないときで、かつ、絶縁抵抗の抵抗値が第１の抵抗値であるときで、かつ、発振回路から第２の故障検知用発振信号が出力されているときに検出抵抗にかかる電圧の波高値との第１の対応関係から、漏電検知回路が故障していないときで、かつ、絶縁抵抗の抵抗値が第１の抵抗値より低い第２の抵抗値であるときで、かつ、発振回路から第１の故障検知用発振信号が出力されているときに検出抵抗にかかる電圧の波高値と、漏電検知回路が故障していないときで、かつ、絶縁抵抗の抵抗値が第２の抵抗値であるときで、かつ、発振回路から第２の故障検知用発振信号が出力されているときに検出抵抗にかかる電圧の波高値との第２の対応関係までの対応関係の変動傾向を記憶する記憶部とを備える。
【０００８】
検知部は、発振回路から第１の故障検知用発振信号が出力されているときに検出抵抗にかかる電圧の波高値と、発振回路から第２の故障検知用発振信号が出力されているときに検出抵抗にかかる電圧の波高値との第３の対応関係が、第１の対応関係から第２の対応関係までの対応関係の変動傾向に含まれていない場合、漏電検知回路が故障していることを検知する。
【０００９】
漏電検知回路が故障していないときで、かつ、絶縁抵抗の抵抗値が変化しているとき、発振回路から第１の故障検知用発振信号が出力されているときに検出抵抗にかかる電圧の波高値と、発振回路から第２の故障検知用発振信号が出力されているときに検出抵抗にかかる電圧の波高値との対応関係の変動傾向、すなわち、第１の対応関係から第２の対応関係までの対応関係の変動傾向は、漏電検知回路の故障状態が変化しているときで、かつ、絶縁抵抗の抵抗値が一定であるとき、発振回路から第１の故障検知用発振信号が出力されているときに検出抵抗にかかる電圧の波高値と、発振回路から第２の故障検知用発振信号が出力されているときに検出抵抗にかかる電圧の波高値との対応関係の変動傾向と異なる。そのため、発振回路から第１の故障検知用発振信号が出力されているときに検出抵抗にかかる電圧の波高値と、発振回路から第２の故障検知用発振信号が出力されているときに検出抵抗にかかる電圧の波高値との第３の対応関係が、第１の対応関係から第２の対応関係までの対応関係の変動傾向に含まれていない場合、漏電検知回路が故障していることを検知することができる。これにより、漏電検知回路は、自身が故障していることを検知することができる。
【００１０】
また、第１の対応関係から第２の対応関係までの対応関係の変動傾向は、発振回路から第１の故障検知用発振信号が出力されているときに検出抵抗にかかる電圧の波高値を第１の軸とし、発振回路から第２の故障検知用発振信号が出力されているときに検出抵抗にかかる電圧の波高値を第２の軸とする２次元直交座標において、第１の対応関係に相当する点と、第２の対応関係に相当する点とを通る直線とし、検知部は、第３の対応関係に相当する点が直線から所定値以上離れている場合、第３の対応関係が、第１の対応関係から第２の対応関係までの対応関係の変動傾向に含まれていないと判断するように構成してもよい。
【００１１】
このように、所定値を考慮して、第３の対応関係が、第１の対応関係から第２の対応関係までの対応関係の変動傾向に含まれているか否かを判断することにより、波高値に含まれるノイズの影響や波高値の測定誤差などにより漏電検知回路の故障の誤検知を低減することができるため、漏電検知回路の故障検知精度を向上させることができる。
【００１２】
また、漏電検知回路は、模擬絶縁抵抗と、カップリングコンデンサと模擬絶縁抵抗とが互いに接続されていない第１の状態、及び、カップリングコンデンサと模擬絶縁抵抗とが互いに接続されている第２の状態のどちらか一方の状態に切り替えるスイッチとを備え、検知部は、２次元直交座標において、第１の状態になるようにスイッチの動作を制御しているときで、かつ、発振回路から第１の故障検知用発振信号が出力されているときに検出抵抗にかかる電圧の波高値と、第１の状態になるようにスイッチの動作を制御しているときで、かつ、発振回路から第２の故障検知用発振信号が出力されているときに検出抵抗にかかる電圧の波高値とが対応する点と、第２の状態になるようにスイッチの動作を制御しているときで、かつ、発振回路から第１の故障検知用発振信号が出力されているときに検出抵抗にかかる電圧の波高値と、第２の状態になるようにスイッチの動作を制御しているときで、かつ、発振回路から第２の故障検知用発振信号が出力されているときに検出抵抗にかかる電圧の波高値とが対応する点とにより直線を算出するように構成してもよい。
【００１３】
このように、模擬絶縁抵抗を用いて擬似的に漏電状態をつくり、その擬似的な漏電状態において直線を算出することにより、その算出した直線式を漏電検知回路で実際に漏電が発生したときに算出される直線式に近づけることができるため、漏電検知回路の故障を検知する精度が低下することを抑制することができる。
【発明の効果】
【００１４】
本発明によれば、車両に搭載される直流電源と車両のボディアースとの間の絶縁抵抗の抵抗値の低下を検知する漏電検知回路の故障を漏電検知回路自身で検知することができる。
【図面の簡単な説明】
【００１５】
【図１】実施形態の漏電検知回路の一例を示す図である。
【図２】故障検知処理実行時の検知部の動作を示すフローチャートである。
【図３】第１の対応関係から第２の対応関係までの対応関係の変動傾向を示す図である。
【図４】波高値ＶｐｐＬと波高値ＶｐｐＨとが対応する点の一例を示す図である。
【図５】波高値ＶｐｐＬと波高値ＶｐｐＨとが対応する点の一例を示す図である。
【図６】波高値ＶｐｐＬと波高値ＶｐｐＨとが対応する点の一例を示す図である。
【図７】波高値ＶｐｐＬと波高値ＶｐｐＨとが対応する点の一例を示す図である。
【図８】波高値ＶｐｐＬと波高値ＶｐｐＨとが対応する点の一例を示す図である。
【図９】波高値ＶｐｐＬと波高値ＶｐｐＨとが対応する点の一例を示す図である。
【図１０】波高値ＶｐｐＬと波高値ＶｐｐＨとが対応する点の一例を示す図である。
【図１１】波高値ＶｐｐＬと波高値ＶｐｐＨとが対応する点の一例を示す図である。
【図１２】実施形態の漏電検知回路の変形例を示す図である。
【図１３】直線算出処理実行時の検知部の動作を示すフローチャートである。
【発明を実施するための形態】
【００１６】
以下図面に基づいて実施形態について詳細を説明する。
図１は、実施形態の漏電検知回路の一例を示す図である。
【００１７】
直流電源Ｐは、直列接続される複数の電池（例えば、リチウムイオン電池またはニッケル水素電池）により構成される高圧バッテリであって、ハイブリッド車や電気自動車などの車両に搭載され、走行用モータを駆動するインバータ回路などの負荷Ｌｏに電力を供給する。
【００１８】
漏電検知回路１は、車両に搭載される直流電源ＰのグランドラインＧＬと車両のボディアースＢＥとの間の絶縁抵抗Ｒｉの抵抗値の低下を検知する。また、漏電検知回路１は、発振回路２と、検出抵抗Ｒｄと、記憶部３と、検知部４とを備える。
【００１９】
発振回路２は、ボディアースＢＥに接続され、矩形波などの発振信号ＳをグランドラインＧＬとボディアースＢＥとの間に出力する。なお、発振信号Ｓは、漏電検知用発振信号Ｓｄ、第１の故障検知用発振信号Ｓ１、または、第２の故障検知用発振信号Ｓ２とする。また、漏電検知用発振信号Ｓｄの周波数は、絶縁抵抗Ｒｉ、絶縁抵抗Ｒｉに仮想的に並列接続される浮遊容量Ｃｆ、カップリングコンデンサＣｃ、及び検出抵抗Ｒｄなどにより構成されるローパスフィルタＬＰＦのカットオフ周波数より低い周波数とする。また、第１の故障検知用発振信号Ｓ１の周波数は特に限定されない。また、第２の故障検知用発振信号Ｓ２の周波数は第１の故障検知用発振信号Ｓ１の周波数より高い周波数とする。
【００２０】
検出抵抗Ｒｄは、グランドラインＧＬに接続されるカップリングコンデンサＣｃと発振回路２との間に接続される。
【００２１】
記憶部３は、例えば、ＲＡＭ（Random Access Memory）またはＲＯＭ（Read Only Memory）などにより構成され、後述する、第１の対応関係から第２の対応関係までの対応関係の変動傾向を記憶する。
【００２２】
なお、第１の対応関係は、漏電検知回路１が故障していないときで、かつ、絶縁抵抗Ｒｉの抵抗値が第１の抵抗値であるときで、かつ、発振回路２から第１の故障検知用発振信号Ｓ１が出力されているときに検出抵抗Ｒｄにかかる電圧Ｖｄの波高値ＶｐｐＬ１と、漏電検知回路１が故障していないときで、かつ、絶縁抵抗Ｒｉの抵抗値が第１の抵抗値であるときで、かつ、発振回路２から第２の故障検知用発振信号Ｓ２が出力されているときに検出抵抗Ｒｄにかかる電圧Ｖｄの波高値ＶｐｐＨ１との対応関係とする。
【００２３】
また、第２の対応関係は、漏電検知回路１が故障していないときで、かつ、絶縁抵抗Ｒｉの抵抗値が第１の抵抗値より低い第２の抵抗値であるときで、かつ、発振回路２から第１の故障検知用発振信号Ｓ１が出力されているときに検出抵抗Ｒｄにかかる電圧Ｖｄの波高値ＶｐｐＬ２と、漏電検知回路１が故障していないときで、かつ、絶縁抵抗Ｒｉの抵抗値が第２の抵抗値であるときで、かつ、発振回路２から第２の故障検知用発振信号Ｓ２が出力されているときに検出抵抗Ｒｄにかかる電圧Ｖｄの波高値ＶｐｐＨ２との対応関係とする。
【００２４】
検知部４は、例えば、ＣＰＵ（Central Processing Unit）、マルチコアＣＰＵ、またはプログラマブルなデバイス（ＦＰＧＡ（Field Programmable Gate Array）やＰＬＤ（Programmable Logic Device））などにより構成され、カップリングコンデンサＣｃと検出抵抗Ｒｄとの間に接続される。なお、検出抵抗Ｒｄと検知部４との間にローパスフィルタまたはバンドパスフィルタなどを接続してもよい。
【００２５】
また、検知部４は、発振回路２から漏電検知用発振信号Ｓｄを出力させているとき、検出抵抗Ｒｄにかかる電圧Ｖｄの波高値Ｖｐｐが閾値Ｖｔｈ以下である場合、絶縁抵抗Ｒｉの抵抗値が低下していること、すなわち、漏電が発生していることを検知する。なお、閾値Ｖｔｈは、実験やシミュレーションなどにより求められ記憶部３に記憶されているものとし、例えば、漏電になる直前の電圧Ｖｄの波高値Ｖｐｐとする。
【００２６】
また、検知部４は、故障検知処理を実行することにより、漏電検知回路１が故障しているか否かを検知する。なお、漏電検知回路１の故障とは、カップリングコンデンサＣｃから検知部４までの配線或いは検出抵抗Ｒｄのインピーダンスが通常より高い状態、または、カップリングコンデンサＣｃから検知部４までの配線或いは検出抵抗Ｒｄのインピーダンスが通常よりも低い状態とする。なお、カップリングコンデンサＣｃから検知部４までの配線或いは検出抵抗Ｒｄのインピーダンスが通常より高い状態とは、例えば、カップリングコンデンサＣｃから検知部４までの配線或いは検出抵抗Ｒｄが断線している状態とする。また、カップリングコンデンサＣｃから検知部４までの配線或いは検出抵抗Ｒｄのインピーダンスが通常よりも低い状態とは、例えば、カップリングコンデンサＣｃから検知部４までの配線或いは検出抵抗Ｒｄの両端が短絡している状態とする。
【００２７】
図２は、故障検知処理実行時の検知部４の動作の一例を示すフローチャートである。
まず、検知部４は、発振回路２から第１の故障検知用発振信号Ｓ１を出力させる（ステップＳ１１）。
【００２８】
次に、検知部４は、発振回路２から第１の故障検知用発振信号Ｓ１が出力されているときに検出抵抗Ｒｄにかかる電圧Ｖｄの波高値Ｖｐｐを波高値ＶｐｐＬとして取得する（ステップＳ１２）。
【００２９】
次に、検知部４は、発振回路２から第２の故障検知用発振信号Ｓ２を出力させる（ステップＳ１３）。
【００３０】
次に、検知部４は、発振回路２から第２の故障検知用発振信号Ｓ２が出力されているときに検出抵抗Ｒｄにかかる電圧Ｖｄの波高値Ｖｐｐを波高値ＶｐｐＨとして取得する（ステップＳ１４）。
【００３１】
次に、検知部４は、ステップＳ１２で取得した波高値ＶｐｐＬとステップＳ１４で取得した波高値ＶｐｐＨとの第３の対応関係が、第１の対応関係から第２の対応関係までの対応関係の変動傾向に含まれている場合（ステップＳ１５：Ｎｏ）、漏電検知回路１が故障していないことを検知する（ステップＳ１６）。
【００３２】
一方、検知部４は、ステップＳ１２で取得した波高値ＶｐｐＬとステップＳ１４で取得した波高値ＶｐｐＨとの対応関係が、第１の対応関係から第２の対応関係までの対応関係の変動傾向に含まれていない場合（ステップＳ１５：Ｙｅｓ）、漏電検知回路１が故障していることを検知する（ステップＳ１７）。
【００３３】
図３は、第１の対応関係から第２の対応関係までの対応関係の変動傾向の一例を示す図である。
【００３４】
図３に示す直線Ｌ１は、発振回路２から第１の故障検知用発振信号Ｓ１が出力されているときに検出抵抗Ｒｄにかかる電圧Ｖｄの波高値ＶｐｐＬを横軸（第１の軸）とし、発振回路２から第２の故障検知用発振信号Ｓ２が出力されているときに検出抵抗Ｒｄにかかる電圧Ｖｄの波高値ＶｐｐＨを縦軸（第２の軸）とする２次元直交座標において、漏電検知回路１が故障していないときで、かつ、絶縁抵抗Ｒｉの抵抗値が第１の抵抗値であるときで、かつ、発振回路２から第１の故障検知用発振信号Ｓ１が出力されているときに検出抵抗Ｒｄにかかる電圧Ｖｄの波高値ＶｐｐＬ１と、漏電検知回路１が故障していないときで、かつ、絶縁抵抗Ｒｉの抵抗値が第１の抵抗値であるときで、かつ、発振回路２から第２の故障検知用発振信号Ｓ２が出力されているときに検出抵抗Ｒｄにかかる電圧Ｖｄの波高値ＶｐｐＨ１とが対応する点ｐ１と、漏電検知回路１が故障していないときで、かつ、絶縁抵抗Ｒｉの抵抗値が第１の抵抗値より低い第２の抵抗値であるときで、かつ、発振回路２から第１の故障検知用発振信号Ｓ１が出力されているときに検出抵抗Ｖｄにかかる電圧Ｖｄの波高値ＶｐｐＬ２と、漏電検知回路１が故障していないときで、かつ、絶縁抵抗Ｒｉの抵抗値が第２の抵抗値であるときで、かつ、発振回路２から第２の故障検知用発振信号Ｓ２が出力されているときに検出抵抗Ｒｄにかかる電圧Ｖｄの波高値ＶｐｐＨ２とが対応する点ｐ２とを通る直線である。この直線Ｌ１を、第１の対応関係から第２の対応関係までの対応関係の変動傾向とする。なお、直線Ｌ１を表す直線式Ｆ１は、ＶｐｐＨ＝（（ＶｐｐＨ１−ＶｐｐＨ２）／（ＶｐｐＬ１−ＶｐｐＬ２））×（ＶｐｐＬ−ＶｐｐＬ１）＋ＶｐｐＨ１、または、ＶｐｐＬ＝（（ＶｐｐＬ１−ＶｐｐＬ２）／（ＶｐｐＨ１−ＶｐｐＨ２））×（ＶｐｐＨ−ＶｐｐＨ１）＋ＶｐｐＬ１とする。また、第１の対応関係から第２の対応関係までの対応関係の変動傾向の他の例として、直線Ｌ１の波高値ＶｐｐＬと波高値ＶｐｐＨとの対応関係を示す２次元マップを採用してもよい。
【００３５】
また、図３に示す直線Ｌ２は、上記２次元直交座標において、絶縁抵抗Ｒｉの抵抗値が一定であるときで、かつ、漏電検知回路１が第１の故障状態であるときで、かつ、発振回路２から第１の故障検知用発振信号Ｓ１が出力されているときに検出抵抗Ｒｄにかかる電圧Ｖｄの波高値ＶｐｐＬ３と、絶縁抵抗Ｒｉの抵抗値が一定であるときで、かつ、漏電検知回路１が第１の故障状態であるときで、かつ、発振回路２から第２の故障検知用発振信号Ｓ２が出力されているときに検出抵抗Ｒｄにかかる電圧Ｖｄの波高値ＶｐｐＨ３とが対応する点ｐ３と、絶縁抵抗Ｒｉの抵抗値が一定であるときで、かつ、漏電検知回路１が第１の故障状態と異なる第２の故障状態であるときで、かつ、発振回路２から第１の故障検知用発振信号Ｓ１が出力されているときに検出抵抗Ｒｄにかかる電圧Ｖｄの波高値ＶｐｐＬ４と、絶縁抵抗Ｒｉの抵抗値が一定であるときで、かつ、漏電検知回路１が第２の故障状態であるときで、かつ、発振回路２から第２の故障検知用発振信号Ｓ２が出力されているときに検出抵抗Ｒｄにかかる電圧Ｖｄの波高値ＶｐｐＨ４とが対応する点ｐ４とを通る直線である。
【００３６】
なお、第１の故障状態とは、例えば、カップリングコンデンサＣｃと検知部４との間の配線のインピーダンスが通常より高い或いは検出抵抗Ｒｄのインピーダンスが通常より低い状態とする。
【００３７】
また、第２の故障状態とは、例えば、カップリングコンデンサＣｃと検知部４との間の配線のインピーダンスが通常より低い或いは検出抵抗Ｒｄのインピーダンスが通常より高い状態とする。
【００３８】
また、第１の故障検知用発振信号Ｓ１の周波数は、発振回路２から第１の故障検知用発振信号Ｓ１が出力されているとき、浮遊容量Ｃｆに比べて絶縁抵抗Ｒｉに電流が流れ易いような周波数になっているものとする。そのため、発振回路２から第１の故障検知用発振信号Ｓ１が出力されているとき、絶縁抵抗Ｒｄの抵抗値の変化の影響を受けて検出抵抗Ｒｄにかかる電圧Ｖｄの波高値ＶｐｐＬが変動し易い。
【００３９】
また、第２の故障検知用発振信号Ｓ２の周波数は、発振回路２から第２の故障検知用発振信号Ｓ２が出力されているとき、絶縁抵抗Ｒｉに比べて浮遊容量Ｃｆに電流が流れ易いような周波数になっているものとする。そのため、発振回路２から第２の故障検知用発振信号Ｓ２が出力されているとき、絶縁抵抗Ｒｄの抵抗値の変化の影響をあまり受けず検出抵抗Ｒｄにかかる電圧Ｖｄの波高値ＶｐｐＨが変動し難い。
【００４０】
従って、漏電検知回路１が故障していないとき、絶縁抵抗Ｒｉの抵抗値に応じて、波高値ＶｐｐＬが波高値ＶｐｐＨより大きく変化する。
【００４１】
一方、漏電検知回路１が故障しているときは、発振回路２から出力される発振信号の周波数によらず、漏電検知回路１の故障状態に応じて、波高値ＶｐｐＬ及び波高値ＶｐｐＨが互いに同じように変化する。すなわち、漏電検知回路１が第１の故障状態であるとき、波高値ＶｐｐＬ及び波高値ＶｐｐＨがそれぞれ高くなり、漏電検知回路１が第２の故障状態であるとき、波高値ＶｐｐＬ及び波高値ＶｐｐＨがそれぞれ低くなる。
【００４２】
このように、漏電検知回路１が故障していないときに絶縁抵抗Ｒｉの抵抗値が変化する場合と、絶縁抵抗Ｒｉの抵抗値が一定であるときに漏電検知回路１の故障状態が変化する場合とで、波高値ＶｐｐＬと波高値ＶｐｐＨとの対応関係の変動傾向が互いに異なる。言い換えると、図３に示す直線Ｌ１の傾きと直線Ｌ２の傾きとが互いに異なる。
【００４３】
実施形態の漏電検知回路１では、波高値ＶｐｐＬと波高値ＶｐｐＨとの対応関係の変動傾向が互いに異なることを利用して、漏電検知回路１が故障しているか否かを検知する。すなわち、実施形態の漏電検知回路１は、図３に示す２次元直交座標において、波高値ＶｐｐＬと波高値ＶｐｐＨとが対応する点が直線Ｌ１に含まれる場合、漏電検知回路１が故障していないことを検知し、波高値ＶｐｐＬと波高値ＶｐｐＨとが対応する点が直線Ｌ１に含まれていない場合、漏電検知回路１が故障していることを検知する。
【００４４】
ここで、図４に示すように、故障検知処理実行時、検知部４が波高値ＶｐｐＬとして波高値ＶｐｐＬ５を取得し、波高値ＶｐｐＨとして波高値ＶｐｐＨ５を取得した場合を想定する。
【００４５】
このような場合、まず、検知部４は、直線Ｌ１を表す直線式Ｆ１（ＶｐｐＨ＝（（ＶｐｐＨ１−ＶｐｐＨ２）／（ＶｐｐＬ１−ＶｐｐＬ２））×（ＶｐｐＬ−ＶｐｐＬ１）＋ＶｐｐＨ１）のＶｐｐＬに波高値ＶｐｐＬ５を代入することにより、直線式Ｆ１において波高値ＶｐｐＬ５に対応する波高値ＶｐｐＨとして波高値ＶｐｐＨ６を求める。
【００４６】
次に、検知部４は、波高値ＶｐｐＨの軸方向において波高値ＶｐｐＨ５が波高値ＶｐｐＨ６より大きいと判断すると、波高値ＶｐｐＨ６に一定値Ｖ１を加算した結果である閾値Ｖｔｈ１を求める。
【００４７】
そして、検知部４は、波高値ＶｐｐＨの軸方向において波高値ＶｐｐＨ５が閾値Ｖｔｈ１未満である場合、すなわち、波高値ＶｐｐＬ５と波高値ＶｐｐＨ５とが対応する点ｐ５が直線Ｌ１から一定値Ｖ１以上離れていない場合、波高値ＶｐｐＬ５と波高値ＶｐｐＨ５との第３の対応関係が、第１の対応関係から第２の対応関係までの対応関係の変動傾向に含まれていると判断し、漏電検知回路１が故障していないことを検知する。
【００４８】
なお、検知部４は、波高値ＶｐｐＨの軸方向において波高値ＶｐｐＨ５が波高値ＶｐｐＨ６と同じ値または略同じ値である場合、すなわち、波高値ＶｐｐＬ５と波高値ＶｐｐＨ５とが対応する点ｐ５が直線Ｌ１から離れていない場合、波高値ＶｐｐＬ５と波高値ＶｐｐＨ５との第３の対応関係が、第１の対応関係から第２の対応関係までの対応関係の変動傾向に含まれていると判断し、漏電検知回路１が故障していないことを検知するように構成してもよい。
【００４９】
また、図５に示すように、故障検知処理実行時、検知部４が波高値ＶｐｐＬとして波高値ＶｐｐＬ６を取得し、波高値ＶｐｐＨとして波高値ＶｐｐＨ７を取得した場合を想定する。
【００５０】
このような場合、まず、検知部４は、直線Ｌ１を表す直線式Ｆ１（ＶｐｐＨ＝（（ＶｐｐＨ１−ＶｐｐＨ２）／（ＶｐｐＬ１−ＶｐｐＬ２））×（ＶｐｐＬ−ＶｐｐＬ１）＋ＶｐｐＨ１）のＶｐｐＬに波高値ＶｐｐＬ６を代入することにより、直線式Ｆ１において波高値ＶｐｐＬ６に対応する波高値ＶｐｐＨとして波高値ＶｐｐＨ８を求める。
【００５１】
次に、検知部４は、波高値ＶｐｐＨの軸方向において波高値ＶｐｐＨ７が波高値ＶｐｐＨ８より大きいと判断すると、波高値ＶｐｐＨ８に一定値Ｖ１を加算した結果である閾値Ｖｔｈ２を求める。
【００５２】
そして、検知部４は、波高値ＶｐｐＨの軸方向において波高値ＶｐｐＨ７が閾値Ｖｔｈ２以上である場合、すなわち、波高値ＶｐｐＬ６と波高値ＶｐｐＨ７とが対応する点ｐ６が直線Ｌ１から一定値Ｖ１以上離れている場合、波高値ＶｐｐＬ６と波高値ＶｐｐＨ７との第３の対応関係が、第１の対応関係から第２の対応関係までの対応関係の変動傾向に含まれていないと判断し、漏電検知回路１が故障していることを検知する。
【００５３】
なお、検知部４は、波高値ＶｐｐＨの軸方向において波高値ＶｐｐＨ７が波高値ＶｐｐＨ８より大きい場合、すなわち、波高値ＶｐｐＬ６と波高値ＶｐｐＨ７とが対応する点ｐ６が直線Ｌ１から離れている場合、波高値ＶｐｐＬ６と波高値ＶｐｐＨ７との第３の対応関係が、第１の対応関係から第２の対応関係までの対応関係の変動傾向に含まれていないと判断し、漏電検知回路１が故障していることを検知するように構成してもよい。
【００５４】
また、一定値Ｖ１は、検知部４が取得する電圧Ｖｄに含まれるノイズの大きさや波高値Ｖｐｐの測定誤差などに応じて設定されてもよい。このように、一定値Ｖ１を考慮して、第３の対応関係が第１の対応関係から第２の対応関係までの対応関係の変動傾向に含まれているか否かを判断することにより、電圧Ｖｄに含まれるノイズの影響や波高値Ｖｐｐの測定誤差などによる漏電検知回路１の故障の誤検知を低減することができるため、漏電検知回路１の故障検知精度を向上させることができる。
【００５５】
また、図６に示すように、故障検知処理実行時、検知部４が波高値ＶｐｐＬとして波高値ＶｐｐＬ７を取得し、波高値ＶｐｐＨとして波高値ＶｐｐＨ９を取得した場合を想定する。
【００５６】
このような場合、まず、検知部４は、直線Ｌ１を表す直線式Ｆ１（ＶｐｐＨ＝（（ＶｐｐＨ１−ＶｐｐＨ２）／（ＶｐｐＬ１−ＶｐｐＬ２））×（ＶｐｐＬ−ＶｐｐＬ１）＋ＶｐｐＨ１）のＶｐｐＬに波高値ＶｐｐＬ７を代入することにより、直線式Ｆ１において波高値ＶｐｐＬ７に対応する波高値ＶｐｐＨとして波高値ＶｐｐＨ１０を求める。
【００５７】
次に、検知部４は、波高値ＶｐｐＨ９が波高値ＶｐｐＨ１０より小さいと判断すると、波高値ＶｐｐＨ１０から一定値Ｖ２を減算した結果である閾値Ｖｔｈ３を求める。
【００５８】
そして、検知部４は、波高値ＶｐｐＨの軸方向において波高値ＶｐｐＨ９が閾値Ｖｔｈ３より大きい場合、すなわち、波高値ＶｐｐＬ７と波高値ＶｐｐＨ９とが対応する点ｐ７が直線Ｌ１から一定値Ｖ２以上離れていない場合、波高値ＶｐｐＬ７と波高値ＶｐｐＨ９との第３の対応関係が、第１の対応関係から第２の対応関係までの対応関係の変動傾向に含まれていると判断し、漏電検知回路１が故障していないことを検知する。
【００５９】
なお、検知部４は、波高値ＶｐｐＨの軸方向において波高値ＶｐｐＨ９が波高値ＶｐｐＨ１０と同じ値または略同じ値である場合、すなわち、波高値ＶｐｐＬ７と波高値ＶｐｐＨ９とが対応する点ｐ７が直線Ｌ１から離れていない場合、波高値ＶｐｐＬ７と波高値ＶｐｐＨ９との第３の対応関係が、第１の対応関係から第２の対応関係までの対応関係の変動傾向に含まれていると判断し、漏電検知回路１が故障していないことを検知するように構成してもよい。
【００６０】
また、図７に示すように、故障検知処理実行時、検知部４が波高値ＶｐｐＬとして波高値ＶｐｐＬ８を取得し、波高値ＶｐｐＨとして波高値ＶｐｐＨ１１を取得した場合を想定する。
【００６１】
このような場合、まず、検知部４は、直線Ｌ１を表す直線式Ｆ１（ＶｐｐＨ＝（（ＶｐｐＨ１−ＶｐｐＨ２）／（ＶｐｐＬ１−ＶｐｐＬ２））×（ＶｐｐＬ−ＶｐｐＬ１）＋ＶｐｐＨ１）のＶｐｐＬに波高値ＶｐｐＬ８を代入することにより、直線式Ｆ１において波高値ＶｐｐＬ８に対応する波高値ＶｐｐＨとして波高値ＶｐｐＨ１２を求める。
【００６２】
次に、検知部４は、波高値ＶｐｐＨ１１が波高値ＶｐｐＨ１２より小さいと判断すると、波高値ＶｐｐＨ１２から一定値Ｖ２を減算した結果である閾値Ｖｔｈ４を求める。
【００６３】
そして、検知部４は、波高値ＶｐｐＨの軸方向において波高値ＶｐｐＨ１１が閾値Ｖｔｈ４以下である場合、すなわち、波高値ＶｐｐＬ８と波高値ＶｐｐＨ１１とが対応する点ｐ８が直線Ｌ１から一定値Ｖ２以上離れている場合、波高値ＶｐｐＬ８と波高値ＶｐｐＨ１１との第３の対応関係が、第１の対応関係から第２の対応関係までの対応関係の変動傾向に含まれていないと判断し、漏電検知回路１が故障していることを検知する。
【００６４】
なお、検知部４は、波高値ＶｐｐＨの軸方向において波高値ＶｐｐＨ１１が波高値ＶｐｐＨ１２より小さい場合、すなわち、波高値ＶｐｐＬ８と波高値ＶｐｐＨ１１とが対応する点ｐ８が直線Ｌ１から離れている場合、波高値ＶｐｐＬ８と波高値ＶｐｐＨ１１との第３の対応関係が、第１の対応関係から第２の対応関係までの対応関係の変動傾向に含まれていないと判断し、漏電検知回路１が故障していることを検知するように構成してもよい。
【００６５】
また、一定値Ｖ２は、検知部４が取得する電圧Ｖｄに含まれるノイズの大きさや波高値Ｖｐｐの測定誤差などに応じて設定されてもよい。このように、一定値Ｖ２を考慮して、第３の対応関係が第１の対応関係から第２の対応関係までの対応関係の変動傾向に含まれているか否かを判断することにより、電圧Ｖｄに含まれるノイズの影響や波高値Ｖｐｐの測定誤差などによる漏電検知回路１の故障の誤検知を低減することができるため、漏電検知回路１の故障検知精度を向上させることができる。
【００６６】
また、図８に示すように、故障検知処理実行時、検知部４が波高値ＶｐｐＬとして波高値ＶｐｐＬ９を取得し、波高値ＶｐｐＨとして波高値ＶｐｐＨ１３を取得した場合を想定する。
【００６７】
このような場合、まず、検知部４は、直線Ｌ１を表す直線式Ｆ１（ＶｐｐＬ＝（（ＶｐｐＬ１−ＶｐｐＬ２）／（ＶｐｐＨ１−ＶｐｐＨ２））×（ＶｐｐＨ−ＶｐｐＨ１）＋ＶｐｐＬ１）のＶｐｐＨに波高値ＶｐｐＨ１３を代入することにより、直線式Ｆ１において波高値ＶｐｐＨ１３に対応する波高値ＶｐｐＬとして波高値ＶｐｐＬ１０を求める。
【００６８】
次に、検知部４は、波高値ＶｐｐＬの軸方向において波高値ＶｐｐＬ９が波高値ＶｐｐＬ１０より小さいと判断すると、波高値ＶｐｐＬ１０から一定値Ｖ３を減算した結果である閾値Ｖｔｈ５を求める。
【００６９】
そして、検知部４は、波高値ＶｐｐＬの軸方向において波高値ＶｐｐＬ９が閾値Ｖｔｈ５より大きい場合、すなわち、波高値ＶｐｐＬ９と波高値ＶｐｐＨ１３とが対応する点ｐ９が直線Ｌ１から一定値Ｖ３以上離れていない場合、波高値ＶｐｐＬ９と波高値ＶｐｐＨ１３との第３の対応関係が、第１の対応関係から第２の対応関係までの対応関係の変動傾向に含まれていると判断し、漏電検知回路１が故障していないことを検知する。
【００７０】
なお、検知部４は、波高値ＶｐｐＬの軸方向において波高値ＶｐｐＬ９が波高値ＶｐｐＬ１０と同じ値または略同じ値である場合、すなわち、波高値ＶｐｐＬ９と波高値ＶｐｐＨ１３とが対応する点ｐ９が直線Ｌ１から離れていない場合、波高値ＶｐｐＬ９と波高値ＶｐｐＨ１３との第３の対応関係が、第１の対応関係から第２の対応関係までの対応関係の変動傾向に含まれていると判断し、漏電検知回路１が故障していないことを検知するように構成してもよい。
【００７１】
また、図９に示すように、故障検知処理実行時、検知部４が波高値ＶｐｐＬとして波高値ＶｐｐＬ１１を取得し、波高値ＶｐｐＨとして波高値ＶｐｐＨ１４を取得した場合を想定する。
【００７２】
このような場合、まず、検知部４は、直線Ｌ１を表す直線式Ｆ１（ＶｐｐＬ＝（（ＶｐｐＬ１−ＶｐｐＬ２）／（ＶｐｐＨ１−ＶｐｐＨ２））×（ＶｐｐＨ−ＶｐｐＨ１）＋ＶｐｐＬ１）のＶｐｐＨに波高値ＶｐｐＨ１４を代入することにより、直線式Ｆ１において波高値ＶｐｐＨ１４に対応する波高値ＶｐｐＬとして波高値ＶｐｐＬ１２を求める。
【００７３】
次に、検知部４は、波高値ＶｐｐＬ１１が波高値ＶｐｐＬ１２より小さいと判断すると、波高値ＶｐｐＬ１２から一定値Ｖ３を減算した結果である閾値Ｖｔｈ６を求める。
【００７４】
そして、検知部４は、波高値ＶｐｐＬの軸方向において波高値ＶｐｐＬ１１が閾値Ｖｔｈ６以下である場合、すなわち、波高値ＶｐｐＬ１１と波高値ＶｐｐＨ１４とが対応する点ｐ１０が直線Ｌ１から一定値Ｖ３以上離れている場合、波高値ＶｐｐＬ１１と波高値ＶｐｐＨ１４との第３の対応関係が、第１の対応関係から第２の対応関係までの対応関係の変動傾向に含まれていないと判断し、漏電検知回路１が故障していることを検知する。
【００７５】
なお、検知部４は、波高値ＶｐｐＬの軸方向において波高値ＶｐｐＬ１１が波高値ＶｐｐＬ１２より小さい場合、すなわち、波高値ＶｐｐＬ１１と波高値ＶｐｐＨ１４とが対応する点ｐ１０が直線Ｌ１から離れている場合、波高値ＶｐｐＬ１１と波高値ＶｐｐＨ１４との第３の対応関係が、第１の対応関係から第２の対応関係までの対応関係の変動傾向に含まれていないと判断し、漏電検知回路１が故障していることを検知するように構成してもよい。
【００７６】
また、一定値Ｖ３は、検知部４が取得する電圧Ｖｄに含まれるノイズの大きさや波高値Ｖｐｐの測定誤差などに応じて設定されてもよい。このように、一定値Ｖ３を考慮して、第３の対応関係が第１の対応関係から第２の対応関係までの対応関係の変動傾向に含まれているか否かを判断することにより、電圧Ｖｄに含まれるノイズの影響や波高値Ｖｐｐの測定誤差などによる漏電検知回路１の故障の誤検知を低減することができるため、漏電検知回路１の故障検知精度を向上させることができる。
【００７７】
また、図１０に示すように、故障検知処理実行時、検知部４が波高値ＶｐｐＬとして波高値ＶｐｐＬ１３を取得し、波高値ＶｐｐＨとして波高値ＶｐｐＨ１５を取得した場合を想定する。
【００７８】
このような場合、まず、検知部４は、直線Ｌ１を表す直線式Ｆ１（ＶｐｐＬ＝（（ＶｐｐＬ１−ＶｐｐＬ２）／（ＶｐｐＨ１−ＶｐｐＨ２））×（ＶｐｐＨ−ＶｐｐＨ１）＋ＶｐｐＬ１）のＶｐｐＨに波高値ＶｐｐＨ１５を代入することにより、直線式Ｆ１において波高値ＶｐｐＨ１５に対応する波高値ＶｐｐＬとして波高値ＶｐｐＬ１４を求める。
【００７９】
次に、検知部４は、波高値ＶｐｐＬの軸方向において波高値ＶｐｐＬ１３が波高値ＶｐｐＬ１４より大きいと判断すると、波高値ＶｐｐＬ１４に一定値Ｖ４を加算した結果である閾値Ｖｔｈ７を求める。
【００８０】
そして、検知部４は、波高値ＶｐｐＬの軸方向において波高値ＶｐｐＬ１３が閾値Ｖｔｈ７より小さい場合、すなわち、波高値ＶｐｐＬ１３と波高値ＶｐｐＨ１５とが対応する点ｐ１１が直線Ｌ１から一定値Ｖ４以上離れていない場合、波高値ＶｐｐＬ１３と波高値ＶｐｐＨ１５との第３の対応関係が、第１の対応関係から第２の対応関係までの対応関係の変動傾向に含まれていると判断し、漏電検知回路１が故障していないことを検知する。
【００８１】
なお、検知部４は、波高値ＶｐｐＬの軸方向において波高値ＶｐｐＬ１３が波高値ＶｐｐＬ１４と同じ値または略同じ値である場合、すなわち、波高値ＶｐｐＬ１３と波高値ＶｐｐＨ１５とが対応する点ｐ１１が直線Ｌ１から離れていない場合、波高値ＶｐｐＬ１３と波高値ＶｐｐＨ１５との第３の対応関係が、第１の対応関係から第２の対応関係までの対応関係の変動傾向に含まれていると判断し、漏電検知回路１が故障していないことを検知するように構成してもよい。
【００８２】
また、図１１に示すように、故障検知処理実行時、検知部４が波高値ＶｐｐＬとして波高値ＶｐｐＬ１５を取得し、波高値ＶｐｐＨとして波高値ＶｐｐＨ１６を取得した場合を想定する。
【００８３】
このような場合、まず、検知部４は、直線Ｌ１を表す直線式Ｆ１（ＶｐｐＬ＝（（ＶｐｐＬ１−ＶｐｐＬ２）／（ＶｐｐＨ１−ＶｐｐＨ２））×（ＶｐｐＨ−ＶｐｐＨ１）＋ＶｐｐＬ１）のＶｐｐＨに波高値ＶｐｐＨ１６を代入することにより、直線式Ｆ１において波高値ＶｐｐＨ１６に対応する波高値ＶｐｐＬとして波高値ＶｐｐＬ１６を求める。
【００８４】
次に、検知部４は、波高値ＶｐｐＬ１５が波高値ＶｐｐＬ１６より大きいと判断すると、波高値ＶｐｐＬ１６に一定値Ｖ４を加算した結果である閾値Ｖｔｈ８を求める。
【００８５】
そして、検知部４は、波高値ＶｐｐＬの軸方向において波高値ＶｐｐＬ１５が閾値Ｖｔｈ８以上である場合、すなわち、波高値ＶｐｐＬ１５と波高値ＶｐｐＨ１６とが対応する点ｐ１２が直線Ｌ１から一定値Ｖ４以上離れている場合、波高値ＶｐｐＬ１５と波高値ＶｐｐＨ１６との第３の対応関係が、第１の対応関係から第２の対応関係までの対応関係の変動傾向に含まれていないと判断し、漏電検知回路１が故障していることを検知する。
【００８６】
なお、検知部４は、波高値ＶｐｐＬの軸方向において波高値ＶｐｐＬ１５が波高値ＶｐｐＬ１６より大きい場合、すなわち、波高値ＶｐｐＬ１５と波高値ＶｐｐＨ１６とが対応する点ｐ１２が直線Ｌ１から離れている場合、波高値ＶｐｐＬ１５と波高値ＶｐｐＨ１６との第３の対応関係が、第１の対応関係から第２の対応関係までの対応関係の変動傾向に含まれていないと判断し、漏電検知回路１が故障していることを検知するように構成してもよい。
【００８７】
また、一定値Ｖ４は、検知部４が取得する電圧Ｖｄに含まれるノイズの大きさや波高値Ｖｐｐの測定誤差などに応じて設定されてもよい。このように、一定値Ｖ４を考慮して、第３の対応関係が第１の対応関係から第２の対応関係までの対応関係の変動傾向に含まれているか否かを判断することにより、電圧Ｖｄに含まれるノイズの影響や波高値Ｖｐｐの測定誤差などによる漏電検知回路１の故障の誤検知を低減することができるため、漏電検知回路１の故障検知精度を向上させることができる。
【００８８】
なお、第１の対応関係から第２の対応関係までの対応関係の変動傾向の他の例として、直線Ｌ１の波高値ＶｐｐＬと波高値ＶｐｐＨとの対応関係を示す２次元マップを用いる場合も同様に第３の対応関係が第１の対応関係から第２の対応関係までの対応関係の変動傾向に含まれていないかを判断できる。すなわち、検知部４が波高値ＶｐｐＬと波高値ＶｐｐＨとを取得し、一方の波高値を２次元マップに代入する。そして、２次元マップ上で対応する他方の波高値と、検知部４が取得した他方の波高値とが一定値以上離れていなければ、第３の対応関係が、第１の対応関係から第２の対応関係までの対応関係の変動傾向に含まれていると判断する。または、２次元マップ上で対応する他方の波高値と、検知部４が取得した他方の波高値とが一定値以上離れていれば、第３の対応関係が、第１の対応関係から第２の対応関係までの対応関係の変動傾向に含まれていないと判断する。あるいは、２次元マップ上で対応する他方の波高値と、検知部４が取得した他方の波高値とが略同一であるかで判断を行うように構成してもよい。
【００８９】
このように、実施形態の漏電検知回路１では、漏電検知回路１が故障していないときで、かつ、絶縁抵抗Ｒｉの抵抗値が変化しているとき、発振回路２から第１の故障検知用発振信号Ｓ１が出力されているときに検出抵抗Ｒｄにかかる電圧Ｖｄの波高値ＶｐｐＬと、発振回路２から第２の故障検知用発振信号Ｓ２が出力されているときに検出抵抗Ｒｄにかかる電圧Ｖｄの波高値ＶｐｐＨとの対応関係の変動傾向、すなわち、第１の対応関係から第２の対応関係までの対応関係の変動傾向は、漏電検知回路１の故障状態が変化しているときで、かつ、絶縁抵抗Ｒｉの抵抗値が一定であるとき、発振回路２から第１の故障検知用発振信号Ｓ１が出力されているときに検出抵抗Ｒｄにかかる電圧Ｖｄの波高値ＶｐｐＬと、発振回路２から第２の故障検知用発振信号Ｓ２が出力されているときに検出抵抗Ｒｄにかかる電圧Ｖｄの波高値ＶｐｐＨとの対応関係の変動傾向と異なる。そのため、発振回路２から第１の故障検知用発振信号Ｓ１が出力されているときに検出抵抗Ｒｄにかかる電圧Ｖｄの波高値ＶｐｐＬと、発振回路２から第２の故障検知用発振信号Ｓ２が出力されているときに検出抵抗Ｒｄにかかる電圧Ｖｄの波高値ＶｐｐＨとの第３の対応関係が、第１の対応関係から第２の対応関係までの対応関係の変動傾向に含まれていない場合、漏電検知回路１が故障していることを検知することができる。すなわち、実施形態の漏電検知回路１は、波高値ＶｐｐＬと波高値ＶｐｐＨとの対応関係の変動傾向により漏電検知回路１が故障しているか否かを検知することができるため、自身が故障していることを検知することができる。これにより、漏電検知回路１の故障をユーザに通知することができるため、ユーザに漏電検知回路１の修理を促すことができる。
【００９０】
また、本発明は、以上の実施の形態に限定されるものでなく、本発明の要旨を逸脱しない範囲内で種々の改良、変更が可能である。
【００９１】
図１２は、実施形態の漏電検知回路１の変形例を示す図である。なお、図１に示す構成と同じ構成には同じ符号を付しその説明を省略する。
【００９２】
図１２に示す漏電検知回路１において、図１に示す漏電検知回路１と異なる点は、絶縁抵抗Ｒｉを模擬した模擬絶縁抵抗Ｒｉ´と、スイッチＳＷとをさらに備えている点である。
【００９３】
模擬絶縁抵抗Ｒｉ´の一方端はボディアースＢＥに接続され、模擬絶縁抵抗Ｒｉ´の他方端はスイッチＳＷの一方端に接続され、スイッチＳＷの他方端はカップリングコンデンサＣｃとグランドラインＧＬとの接続点に接続されている。
【００９４】
スイッチＳＷは、半導体スイッチまたは電磁式リレーなどにより構成され、検知部４により動作が制御される。また、スイッチＳＷは、グランドラインＧＬとカップリングコンデンサＣｃとの接続点と模擬絶縁抵抗Ｒｉ´とが互いに接続されていない第１の状態、及び、グランドラインＧＬとカップリングコンデンサＣｃとの接続点と模擬絶縁抵抗Ｒｉ´とが互いに接続されている第２の状態のどちらか一方の状態に切り替える。
【００９５】
なお、模擬絶縁抵抗Ｒｉ´の抵抗値は、例えば、スイッチＳＷにより第２の状態に切り替えられているとき、検出抵抗Ｒｄにかかる電圧Ｖｄの波高値Ｖｐｐが漏電時の波高値Ｖｐｐになるような抵抗値とする。
【００９６】
図１３は、直線算出処理実行時の検知部４の動作の一例を示すフローチャートである。なお、図１３に示す直線算出処理は、漏電検知回路１を車両及び直流電源Ｐに接続する前の状態（浮遊容量Ｃｆの容量値がゼロである状態）、または、漏電検知回路１を車両及び直流電源Ｐに接続した後の工場出荷時（車両起動後の浮遊容量Ｃｆの容量値が安定した状態）、または、工場出荷後の車両の最初の起動時（車両起動後の浮遊容量Ｃｆの容量値が安定した状態）に実行されるものとする。また、検知部４は、第１の状態になるようにスイッチＳＷの動作を制御しているものとする。
【００９７】
まず、検知部４は、発振回路２から第１の故障検知用発振信号Ｓ１を出力させる（ステップＳ２１）。
【００９８】
次に、検知部４は、発振回路２から第１の故障検知用発振信号Ｓ１が出力されているときに検出抵抗Ｒｄにかかる電圧Ｖｄの波高値ＶｐｐＬを波高値ＶｐｐＬ１として取得する（ステップＳ２２）。
【００９９】
次に、検知部４は、発振回路２から第２の故障検知用発振信号Ｓ２を出力させる（ステップＳ２３）。
【０１００】
次に、検知部４は、発振回路２から第２の故障検知用発振信号Ｓ２が出力されているときに検出抵抗Ｒｄにかかる電圧Ｖｄの波高値ＶｐｐＨを波高値ＶｐｐＨ１として取得する（ステップＳ２４）。
【０１０１】
次に、検知部４は、第１の状態から第２の状態に切り替わるようにスイッチＳＷの動作を制御する（ステップＳ２５）。
【０１０２】
次に、検知部４は、第１の故障検知用発振信号Ｓ１を出力させる（ステップＳ２６）。
次に、検知部４は、発振回路２から第１の故障検知用発振信号Ｓ１が出力されているときに検出抵抗Ｒｄにかかる電圧Ｖｄの波高値ＶｐｐＬを波高値ＶｐｐＬ２として取得する（ステップＳ２７）。
【０１０３】
次に、検知部４は、発振回路２から第２の故障検知用発振信号Ｓ２を出力させる（ステップＳ２８）。
【０１０４】
次に、検知部４は、発振回路２から第２の故障検知用発振信号Ｓ２が出力されているときに検出抵抗Ｒｄにかかる電圧Ｖｄの波高値ＶｐｐＨを波高値ＶｐｐＨ２として取得する（ステップＳ２９）。
【０１０５】
次に、検知部４は、波高値ＶｐｐＬを第１の軸とし波高値ＶｐｐＨを第２の軸とする２次元直交座標において、ステップＳ２２で取得した波高値ＶｐｐＬ１とステップＳ２４で取得した波高値ＶｐｐＨ１とが対応する点ｐ１と、ステップＳ２７で取得した波高値ＶｐｐＬ２とステップＳ２９で取得した波高値ＶｐｐＨ２とが対応する点ｐ２とを通る直線Ｌ１を算出する（ステップＳ３０）。
【０１０６】
そして、検知部４は、第２の状態から第１の状態に切り替わるようにスイッチＳＷの動作を制御し（ステップＳ３１）、直線算出処理を終了する。
【０１０７】
漏電検知回路１を構成する素子や回路の製造時の特性バラツキにより漏電検知回路１毎に直線Ｌ１の傾きが異なる可能性があるため、予め決められた直線Ｌ１を用いて漏電検知回路１が故障しているか否かを判断する場合、その予め決められた直線Ｌ１が漏電検知回路１で実際に漏電が発生したときに算出される直線Ｌ１と異なるおそれがあり、漏電検知回路１の故障を検知する精度が低下するおそれがある。
【０１０８】
そこで、図１２に示す漏電検知回路１では、模擬絶縁抵抗Ｒｉ´を用いて擬似的に漏電状態をつくり、その漏電状態において直線Ｌ１を算出している。その直線Ｌ１は、漏電検知回路１を構成する素子や回路の製造時の特性バラツキを含む波高値ＶｐｐＬ１、ＶｐｐＨ１、ＶｐｐＬ２、ＶｐｐＨ２が用いられて算出されるため、漏電検知回路１で実際に漏電が発生したときに算出される直線Ｌ１に近づけることができ、漏電検知回路１の故障を検知する精度が低下することを抑制することができる。
【符号の説明】
【０１０９】
１  漏電検知回路
２  発振回路
３  記憶部
４  検知部
Ｐ  直流電源
Ｌｏ  負荷
ＧＬ  グランドライン
ＢＥ  ボディアース
Ｒｉ  絶縁抵抗
Ｃｆ  浮遊容量
Ｃｃ  カップリングコンデンサ
Ｒｄ  検出抵抗
Ｒｉ´  模擬絶縁抵抗
ＳＷ  スイッチ
【図１】
2020094922.tif 000003
【図２】
2020094922.tif 000004
【図３】
2020094922.tif 000005
【図４】
2020094922.tif 000006
【図５】
2020094922.tif 000007
【図６】
2020094922.tif 000008
【図７】
2020094922.tif 000009
【図８】
2020094922.tif 000010
【図９】
2020094922.tif 000011
【図１０】
2020094922.tif 000012
【図１１】
2020094922.tif 000013
【図１２】
2020094922.tif 000014
【図１３】
2020094922.tif 000015